(57)【要約】【課題】  ショッピングカートにおいて、大きな物も載せて運べ、折り畳むことによって嵩張らず自家用車に容易に積み込むことができ、収納にも場所を取らないこと。【解決手段】  ショッピングカート１は、第１のフレーム２がほぼ垂直に立設され、第２のフレーム６が斜めに取付けられて、各下端の両側には２個ずつのキャスター３が取付けられており、枠５ａと３本の支持桟５ｂとを有する下段棚５及び枠４ａと３本の支持桟４ｂとを有する上段棚４が第１のフレーム２に対して回動可能に取付けられている。買い物かご２０は上段棚４に載置し、ショッピングカート１を押しながら店内を回って、必要な商品Ｓ１を買い物かご２０に入れ、嵩張る商品Ｓ２は下段棚５に載せる。買い物が終わったら、上段棚４及び嵌合具８ａと８ｂを外して下段棚５を上方へ回動させ、紐１３で第１のフレーム２にしっかり縛り付けて固定すれば、自動車にも簡単に積み込める。【選択図】        図１
2005047417.tif 000002
【特許請求の範囲】
【請求項１】
下端両側に２個のキャスターが取付けられ、中間に上段棚の一端が回動可能に取付けられ、下方に下段棚の一端が回動可能に取付けられ、上端に取っ手が設けられた第１のフレームと、
下端両側に２個のキャスターが取付けられ、前記第１のフレームと平行に近く接近した状態から前記第１のフレームに対して斜めになって前記下段棚を略水平に支持する状態まで移動可能に前記第１のフレームに接続された第２のフレームと、
前記第２のフレームに前記２個のキャスターの近傍に設けられた嵌合具に嵌合して前記下段棚を略水平に固定する前記下段棚に設けられた嵌合具と、
前記上段棚を略水平まで回動した状態で停止させるストッパーと
を具備することを特徴とするショッピングカート。
【請求項２】
前記上段棚が上方へ回動したときに、前記第１のフレームの上端に設けられた前記取っ手との間に隙間ができるように前記上段棚の回動を規制する回動規制手段を有することを特徴とする請求項１に記載のショッピングカート。
【請求項３】
前記回動規制手段が前記第１のフレームに固定されたフックであることを特徴とする請求項２に記載のショッピングカート。
【請求項４】
前記上段棚を上方へ回動させたとき、または前記上段棚及び前記下段棚をともに上方へ回動させてショッピングカートを畳んだとき、前記上段棚または前記上段棚及び前記下段棚を前記第１のフレームとともに縛り付けて固定する紐またはベルトを有することを特徴とする請求項１乃至請求項３のいずれか１つに記載のショッピングカート。
【請求項５】
前記第１のフレームが前記上段棚から上において、若干後方に湾曲していることを特徴とする請求項１乃至請求項４のいずれか１つに記載のショッピングカート。
【請求項６】
前記キャスターが全て静音キャスターであることを特徴とする請求項１乃至請求項５のいずれか１つに記載のショッピングカート。
【発明の詳細な説明】
【技術分野】
【０００１】
本発明は、主に、スーパーマーケット等の店舗で買い物をする際等に用いる自家用のショッピングカートに関するものであり、特に小さく折り畳むことができるとともに大きな物を載せることができるショッピングカートに関するものである。
【背景技術】
【０００２】
従来、スーパーマーケット等には、買い物客のために店内専用のプラスティック（主にポリプロピレン）製の買い物かごが多数個用意してあり、またかかる買い物かごを載せることができる店内専用のショッピングカートが多数用意されていて、買い物客はショッピングカートを押しながら店内を回って買い物かごに必要な商品を入れて行く。これによって、大量の買い物も１度に済ますことができ、買い物客も重たい買い物かごを持って歩く必要がなく楽に買い物ができる。
【０００３】
また、本出願人の特許発明にかかる特許文献１には、ショッピングカートの後部に折り畳み自在の子供用座席を備えることによって、小さな子供を連れている場合には子供用座席を拡げて子供を座らせて買い物をすることができ、小さな子供を連れていない場合には子供用座席を畳むことによって、子供用座席を汚す恐れなくもう１つ買い物かごを載せることが可能になるショッピングカートについて記載されている。
【特許文献１】特許第３２２３４１９号公報
【発明の開示】
【発明が解決しようとする課題】
【０００４】
しかしながら、買い物が終わってレジで支払いを済ませた後は、私物の買い物かごやレジ袋に商品を詰めて、再びショッピングカートに載せて自家用車まで押して行くことができるが、商品を自家用車に積んだ後は、空になったショッピングカートを店舗入口のカート置き場や、駐車場が広い場合は駐車場内の店舗入口よりに数箇所設けられた所定のカート置き場まで戻さなくてはならない。また、例えば、ゴミ収集日に重たいゴミ袋をゴミ集積場まで運ぶ場合等、一戸建ての家・マンション・アパートを問わず、家庭用としてショッピングカートのような手押し車があれば良いと思われるケースが増えている。
【０００５】
そこで、本発明は、折り畳むことによって嵩張らず自家用車の座席や座席の間に容易に積み込むことができ、収納にも場所を取らず、拡げたときには大きな物も載せて運ぶことができる自家用のショッピングカートを提供することを課題とするものである。
【課題を解決するための手段】
【０００６】
請求項１の発明にかかるショッピングカートは、下端両側に２個のキャスターが取付けられ、中間に上段棚の一端が回動可能に取付けられ、下方に下段棚の一端が回動可能に取付けられ、上端に取っ手が設けられた第１のフレームと、下端両側に２個のキャスターが取付けられ、前記第１のフレームと平行に近く接近した状態から前記第１のフレームに対して斜めになって前記下段棚を略水平に支持する状態まで移動可能に前記第１のフレームに接続された第２のフレームと、前記第２のフレームに前記２個のキャスターの近傍に設けられた嵌合具に嵌合して前記下段棚を略水平に固定する前記下段棚に設けられた嵌合具と、前記上段棚を略水平まで回動した状態で停止させるストッパーとを具備するものである。
【０００７】
請求項２の発明にかかるショッピングカートは、請求項１の構成において、前記上段棚が上方へ回動したときに、前記第１のフレームの上端に設けられた前記取っ手との間に隙間ができるように前記上段棚の回動を規制する回動規制手段を有するものである。
【０００８】
請求項３の発明にかかるショッピングカートは、請求項２の構成において、前記回動規制手段が前記第１のフレームに固定されたフックであるものである。
【０００９】
請求項４の発明にかかるショッピングカートは、請求項１乃至請求項３のいずれか１つの構成において、前記上段棚を上方へ回動させたとき、または前記上段棚及び前記下段棚をともに上方へ回動させてショッピングカートを畳んだとき、前記上段棚または前記上段棚及び前記下段棚を前記第１のフレームとともに縛り付けて固定する紐またはベルトを有するものである。
【００１０】
請求項５の発明にかかるショッピングカートは、請求項１乃至請求項４のいずれか１つの構成において、前記第１のフレームが前記上段棚から上において、若干後方に湾曲しているものである。
【００１１】
請求項６の発明にかかるショッピングカートは、請求項１乃至請求項５のいずれか１つの構成において、前記キャスターが全て静音キャスターであるものである。
【発明の効果】
【００１２】
請求項１の発明にかかるショッピングカートにおいては、第２のフレームを移動させて第１のフレームに対して斜めになった状態まで移動させ、下段棚を回動させて嵌合具を第２のフレームの２個のキャスターの近傍に設けられた嵌合具に嵌合させて略水平に固定し、上段棚を略水平まで回動した状態でストッパーによって停止させる。これによって、前後左右４個のキャスターと上下２段の棚を有する使い易いショッピングカートとなる。
【００１３】
拡げたときと逆の順番で畳めば、嵩張らず自動車の座席の間やトランクにも簡単に載せることができ、家の玄関の傘立てのような狭いスペースにも収納できる。勿論、私物のショッピングカートであるからカート置き場に返しに行く必要もなく、手間が省ける。また、畳んだとき、４個のキャスターが全て同じ側にまとまるので、キャスター側が自動車の座席の間の床面に接するように載せ、キャスター側を下にして収納すれば、自動車の座席や家の壁等を汚すこともない。
【００１４】
そして、ショッピングカートとして使うときは、上段棚に買い物かごを載せ、下段棚にトイレットペーパーのパックやティッシュペーパーのパック等の嵩張る物を載せる。さらに、ホームセンター等でより大きな物を載せる必要があるときは、上段棚を上方へ回動させれば、下段棚により大きな物を載せることができ、家庭でゴミ収集日にゴミ袋を出すときも同様にして下段棚にゴミ袋を載せれば、楽にゴミ集積場まで運ぶことができる。
【００１５】
このようにして、折り畳むことによって嵩張らず自家用車の座席の間やトランクに容易に積み込むことができ、収納にも場所を取らず、拡げたときには大きな物も載せて運ぶことができる自家用のショッピングカートとなる。
【００１６】
請求項２の発明にかかるショッピングカートにおいては、上段棚が上方へ回動したときに回動規制手段によって第１のフレーム上端の取っ手との間に隙間ができるように回動が規制されるので、片手で取っ手を握っていたとしても上段棚と取っ手の間に手を挟まれることがなく、安全に上段棚を上方へ回動させることができる。
【００１７】
このようにして、大きな物を載せて運ぶ場合や折り畳む場合に上段棚を上方へ回動させるときに取っ手との間に手を挟まれる恐れのない安全なショッピングカートとなる。
【００１８】
請求項３の発明にかかるショッピングカートにおいては、回動規制手段が第１のフレームに固定されたフックであるため、安全に上段棚を上方へ回動させることができるだけでなく、バッグや傘等をこのフックに掛けて買い物をすることができ、極めて使い勝手の良いショッピングカートとなる。
【００１９】
請求項４の発明にかかるショッピングカートにおいては、上段棚のみまたは上段棚及び下段棚を上方へ回動させて第１のフレームとともに縛り付けて固定する紐またはベルトを有するため、下段棚に嵩張る物を載せて使用する場合や折り畳んで収納する場合に、上段棚または下段棚が動く心配がなく、安全で持ち運び及び収納がし易いショッピングカートとなる。
【００２０】
請求項５の発明にかかるショッピングカートにおいては、第１のフレームが上段棚から上において若干後方に湾曲しているため、第１のフレーム下端の２個のキャスター（後輪）が第１のフレーム上端の取っ手より前に出て、足が後輪につかえることなく押し易い。しかも、大きくは湾曲していないので、折り畳んだとき嵩張ることもない。また、第１のフレーム上端の取っ手が後方に下がるため、上段棚を上方に回動させるとき取っ手との間に隙間ができるように回動を規制する回動規制手段もより設け易くなる。
【００２１】
請求項６の発明にかかるショッピングカートにおいては、４個のキャスターが全て静音キャスターとなっている。ここで、静音キャスターとは、回転部のボールベアリング部分が密封されているものであり、通常のキャスターではボールベアリング部分が開放されているために潤滑オイルが次第に揮発して、３ヶ月から半年くらいでボールベアリング部分が錆びてきて異音が出るようになる。スーパーマーケット等でショッピングカートとして使用する場合には、店舗内も騒がしいので異音が出てもそれほど気にならないが、家庭でゴミ袋等の運搬に使用する際には、閑静な住宅街の道路を押して行く場合も静寂を破ってしまい、さらにマンション等の廊下を押して行く場合には、非常に喧しく近所迷惑になる。そこで、静音キャスターを用いることによって、かかる不具合をなくして異音を出すことなく静かにショッピングカートを押し進めることができる。
【発明を実施するための最良の形態】
【００２２】
以下、本発明の実施の形態について、図１乃至図３を参照して説明する。図１（ａ）は本発明の実施の形態にかかるショッピングカートの全体構造を示す斜視図、（ｂ）は上段棚及び下段棚に商品を載せた状態を示す斜視図である。図２（ａ）は本発明の実施の形態にかかるショッピングカートの上段棚を上方に回動させた状態を示す斜視図、（ｂ）は上段棚を紐で固定して下段棚にゴミ袋を載せた状態を示す斜視図である。図３は本発明の実施の形態にかかるショッピングカートを畳んだ状態を示す斜視図である。
【００２３】
図１（ａ）に示されるように、本実施の形態のショッピングカート１は、第１のフレーム２がほぼ垂直に立設され、下端の両側には２個のキャスター（後輪）３が水平面内及び垂直面内で回転自在に取付けられており、その少し上には枠５ａと３本の支持桟５ｂとを有する下段棚５が第１のフレーム２に対して回動可能に取付けられている。さらに、第１のフレーム２の中間付近には、枠４ａと３本の支持桟４ｂとを有する上段棚４が第１のフレーム２に対して回動可能に取付けられて、枠４ａの後部突出部分４ｃが第１のフレーム２に当接するとともに第２のフレーム６の上端７に枠４ａと３本の支持桟４ｂが当接することによって、上段棚４が略水平に支持される。したがって、第１のフレーム２の後部突出部分４ｃが当接する部分と第２のフレーム６の上端７は本発明におけるストッパーに相当する。
【００２４】
第２のフレーム６は、１対のバー１０ａによって第１のフレーム２と、また１対のアングル１０ｂによって下段棚５と、それぞれ変形可能に接続されており、第２のフレーム６の下端両側には２個のキャスター３（前輪）が水平面内及び垂直面内で回転自在に取付けられており、その少し上には１対の嵌合具としての嵌合ピン８ａが内側を向いて固定されている。この１対の嵌合ピン８ａに下段棚５の枠５ａの外側に固定された１対の嵌合具８ｂが嵌合することによって、下段棚５は第１のフレーム２と第２のフレーム６の間に略水平に固定される。そして、第１のフレーム２は上段棚４の上からやや後方に湾曲しており、途中にフック９が溶接されていて、紐１３が掛けられている。第１のフレーム２の上端は取っ手となっていて、１対のゴム製の持ち手２ａが取付けられている。
【００２５】
ここで、４個のキャスター３は全てボールベアリング部分が密閉された静音キャスターであり、潤滑オイルが揮発しないのでボールベアリング部分が錆びることなく、何年経っても静かな走行が可能である。
【００２６】
かかる構成を有する本実施の形態のショッピングカート１と店内専用の買い物かごまたは私物の買い物かご２０を用いた買い物の仕方について、図１（ｂ）を参照して説明する。図１（ｂ）に示されるように、買い物かご２０は上段棚４に載置する。上段棚４は四方を枠４ａで囲まれているので、買い物かご２０が滑り落ちる心配はない。そこで、ショッピングカート１を押しながら店内を回って、必要な商品Ｓ１を買い物かご２０に入れて行く。トイレットペーパーのパックＳ２のような嵩張る商品は、下段棚５に載せる。
【００２７】
そして、買い物が終わったらレジで代金を支払い、買い物かご２０が私物の場合は購入した商品Ｓ１，Ｓ２を再び図１（ｂ）に示されるように買い物かご２０ごと載せて、また買い物かご２０が店内専用の場合には、商品Ｓ１をレジ袋に詰め替えて買い物かご２０はレジ近傍の所定の場所に返して、レジ袋を上段棚４に載せてショッピングカート１を自分の自動車のところまで押して行く。購入した商品Ｓ１，Ｓ２を自動車に積んだら、ショッピングカート１を後述するような手順で折り畳んで、紐１３で縛って自動車に積み込む。
【００２８】
次に、より嵩張る物を載せる場合のショッピングカート１の使用方法について、図２を参照して説明する。ホームセンター等で嵩張る物を購入しようとする場合には、上段棚４を水平にしたままでは下段棚５に入らない場合が多い。ゴミ収集日に出すゴミ袋についても同様である。そこで、このような場合には、図２（ａ）に矢印で示されるように、上段棚４を上方へ回動させて、フック９に掛けてある紐１３で第１のフレーム２にしっかり縛り付ける。このとき、上方へ回動する上段棚４はフック９に当接して、上段棚４と第１のフレーム２の上端（取っ手）との間に隙間ができるように回動が規制される。したがって、フック９は、本発明における回動規制手段に相当する。
【００２９】
これによって、下段棚５の上方にスペースの制限がなくなるので、嵩張る物であっても下段棚５に載る物であれば、ショッピングカート１に載せて運ぶことができる。図２（ｂ）は、下段棚５にゴミ袋Ｄを載せたところを示すものである。ゴミ収集日には、マンション・アパートの住人は、マンション・アパートの敷地の一角に設けられたゴミ集積場まで、また一戸建ての家の住人は地区ごとに設けられたゴミ集積場まで、重い大きいゴミ袋Ｄでもショッピングカート１に載せて楽に運ぶことができる。
【００３０】
次に、ショッピングカート１の折り畳み方について、図３を参照して説明する。まず、図２（ａ）のように上段棚４をフック９に当接するまで上方へ回動させ、続いて１対の嵌合ピン８ａを嵌合具８ｂから外して下段棚５の固定を解き、矢印で示すように下段棚５を上方へ回動させる。これによって、１対のバー１０ａ及び一対のアングル１０ｂが移動するのに伴って、第２のフレーム６も移動して第１のフレーム２に接近する。この状態で、図３に想像線で示されるように、紐１３で上段棚４及び下段棚５を第１のフレーム２にしっかり縛り付けて固定する。これによって、自動車の座席の間にもトランクにも楽に積み込むことができ、また家庭においても傘立てのような狭いスペースに収納できて場所を取らない。
【００３１】
このようにして、本実施の形態のショッピングカート１は、折り畳むことによって嵩張らず自家用車の座席の間やトランクに容易に積み込むことができ、収納にも場所を取らず、拡げたときには大きな物も載せて運ぶことができる。また、大きな物を載せて運ぶ場合や折り畳む場合に上段棚４を上方へ回動させるときに、取っ手との間に手を挟まれる恐れがなく安全である。さらに、第１のフレーム２にフック９を設けたため、バッグや傘等をこのフック９に掛けて買い物をすることができ、極めて使い勝手が良い。
【００３２】
また、上段棚４のみまたは上段棚４及び下段棚５を上方へ回動させて第１のフレーム２とともに縛り付けて固定する紐１３を有するため、安全で持ち運び及び収納がし易い。さらに、第１のフレーム２が上段棚４から上において若干後方に湾曲しているため、２個のキャスター（後輪）３が取っ手より前に出て足が後輪につかえることなく押し易い。また、キャスター３には全て静音キャスターを用いているので、何年経っても異音の出ない静かな走行が実現される。
【００３３】
本発明を実施するに際しては、ショッピングカートのその他の部分の構成、形状、数量、材質、大きさ、接続関係等についても、本実施の形態に限定されるものではない。
【産業上の利用可能性】
【００３４】
上記実施の形態では、スーパーマーケット等の店舗で買い物をする際等に用いる自家用のショッピングカートに関して説明してきた。しかし、本発明の実施物は自家用として用いるものであるから、小さく折り畳むことができるとともに大きな物を載せることができる機能から、ショッピングに限定されるものではなく、乳母車の機能を有するものであり、その用途によっては、台車として使用されるものである。
【図面の簡単な説明】
【００３５】
【図１】図１（ａ）は本発明の実施の形態にかかるショッピングカートの全体構造を示す斜視図、（ｂ）は上段棚及び下段棚に商品を載せた状態を示す斜視図である。
【図２】図２（ａ）は本発明の実施の形態にかかるショッピングカートの上段棚を上方に回動させた状態を示す斜視図、（ｂ）は上段棚を紐で固定して下段棚にゴミ袋を載せた状態を示す斜視図である。
【図３】図３は本発明の実施の形態にかかるショッピングカートを畳んだ状態を示す斜視図である。
【符号の説明】
【００３６】
１  ショッピングカート
２  第１のフレーム
３  キャスター
４  上段棚
５  下段棚
６  第２のフレーム
７  ストッパー
８ａ，８ｂ  嵌合具
９  フック（回動規制手段）
１３  紐
【図１】
2005047417.tif 000003
【図２】
2005047417.tif 000004
【図３】
2005047417.tif 000005